【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
中央デバイスがスタガーキャスト送信機を備え、ユーザ端末のそれぞれがスタガーキャスト受信機を備え、スタガーキャスト送信が少なくとも１つのメインストリームと少なくとも１つのスタガーストリームを送信することを含み、前記少なくとも１つのメインストリームが前記少なくとも１つのスタガーストリームに対して遅延され、前記少なくとも１つのスタガーストリームが前記少なくとも１つのメインストリームにより搬送される信号の少なくとも一部と冗長の別個の信号を搬送し、前記少なくとも１つのスタガーストリームが前記少なくとも１つのメインストリームにより搬送される信号での誤り検出時に用いられるように適合される、中央デバイスと複数のユーザ端末とを備える通信ネットワークにおけるスタガーキャスト送信を管理する方法であって、前記中央デバイスが、少なくとも所与のユーザ端末に関して、
前記所与のユーザ端末に関係する少なくとも１つの情報を含むプロファイルの取得と、
前記所与のユーザ端末に搭載された前記スタガーキャスト受信機への前記スタガーキャスト送信機によるコンテンツ送信のための、前記プロファイルに基づく少なくとも１つのスタガーキャストパラメータの調節と、
を行うことを特徴とする方法。
【請求項２】
前記少なくとも１つのスタガーストリームにより搬送される前記信号が、前記少なくとも１つのメインストリームにより搬送される前記信号よりも低解像度でエンコードされる、請求項１に記載の方法。
【請求項３】
前記少なくとも１つの情報が、
前記所与のユーザ端末の少なくとも１つの特異性に関係する情報、及び
前記所与のユーザ端末の少なくとも１回の使用に関係する情報、
を含む群に属する、請求項１又は請求項２に記載の方法。
【請求項４】
前記中央デバイスが、セットトップボックス、ゲートウェイ、及びサーバを含む群に属する、請求項１〜請求項３のいずれか一項に記載の方法。
【請求項５】
前記少なくとも１つのスタガーキャストパラメータが、
前記少なくとも１つのスタガーストリームの送信と前記少なくとも１つの遅延したメインストリームの送信との間の、スタガー遅延、及び
スタガーストリーム解像度、
を含む群に属する、請求項１〜請求項４のいずれか一項に記載の方法。
【請求項６】
前記少なくとも１つの情報が、
前記所与のユーザ端末に関する信号損失の最小持続時間、
前記所与のユーザ端末に関する信号損失の最大持続時間、
前記所与のユーザ端末に搭載されたバッテリの電力レベル、
前記所与のユーザ端末に搭載されたバッテリのタイプ、
前記所与のユーザ端末に関するデバイスのタイプ、
前記所与のユーザ端末により実行されるアプリケーション、及び
少なくとも１人のユーザによる前記所与のユーザ端末の使用に関係する癖の使用、
を含む群に属する、請求項１〜請求項５のいずれか一項に記載の方法。
【請求項７】
前記中央デバイスが、前記中央デバイスと前記所与のユーザ端末との通信を通じて、前記少なくとも１つの情報の動的収集を行う、請求項１〜請求項６のいずれか一項に記載の方法。
【請求項８】
前記プログラムがコンピュータ又はプロセッサ上で実行されるときに請求項１〜請求項７のいずれか一項に記載の方法を実施するためのプログラムコード命令を備えることを特徴とするコンピュータプログラム製品。
【請求項９】
請求項８に記載のコンピュータプログラム製品を記憶する一時的でないコンピュータ可読搬送媒体。
【請求項１０】
中央デバイスがスタガーキャスト送信機に適合され、ユーザ端末のそれぞれがスタガーキャスト受信機を備え、前記スタガーキャスト送信機が少なくとも１つのメインストリームと少なくとも１つのスタガーストリームを送信するように構成され、前記少なくとも１つのメインストリームが前記少なくとも１つのスタガーストリームに対して遅延され、前記少なくとも１つのスタガーストリームが前記少なくとも１つのメインストリームにより搬送される信号の少なくとも一部と冗長の別個の信号を搬送し、前記少なくとも１つのスタガーストリームが前記少なくとも１つのメインストリームにより搬送される信号での誤り検出時に用いられるように適合される、中央デバイスと複数のユーザ端末とを備える通信ネットワークの中央デバイスであって、
少なくとも所与のユーザ端末に関して、前記所与のユーザ端末に関係する少なくとも１つの情報を含むプロファイルを取得し、
前記所与のユーザ端末に搭載されたスタガーキャスト受信機への前記スタガーキャスト送信機によるコンテンツ送信のために、前記プロファイルに基づいて少なくとも１つのスタガーキャストパラメータを調節する、
ように構成された計算マシンを備えることを特徴とする中央デバイス。
【請求項１１】
前記中央デバイスが、スタガーキャスト送信機を備える、請求項１０に記載の中央デバイス。
【請求項１２】
前記中央デバイスが、セットトップボックス、ゲートウェイ、及びサーバを含む群に属する、請求項１１に記載の中央デバイス。
【請求項１３】
前記計算マシンが、前記少なくとも１つのメインストリームにより搬送される前記信号よりも低解像度でエンコードされる前記少なくとも１つのスタガーストリームにより搬送される前記信号のために構成される、請求項１０〜請求項１２のいずれか一項に記載の中央デバイス。
【請求項１４】
前記中央デバイスが、請求項１〜請求項７のいずれかに記載のスタガーキャスト送信を管理する方法を実行するように構成される、請求項１０〜請求項１３のいずれか一項に記載の中央デバイス。
【手続補正２】
【補正対象書類名】明細書
【補正対象項目名】００５３
【補正方法】変更
【補正の内容】
【００５３】
言い換えれば、本開示は、コンピュータプログラム命令の形態の単にソフトウェアベースの実装に限定されず、ハードウェアの形態、又はハードウェア部分とソフトウェア部分とを組み合わせる任意の形態で実装することもできる。
なお、上述の実施形態の一部又は全部は、以下の付記のように記載され得るが、以下には限定されない。
（付記１）
中央デバイス（３０）がスタガーキャスト送信機（１００）を備え、ユーザ端末（ＴＡ、ＴＢ、ＴＣ）のそれぞれがスタガーキャスト受信機（２００Ａ、２００Ｂ、２００Ｃ）を備え、スタガーキャスト送信が少なくとも１つのメインストリームと少なくとも１つのスタガーストリームを送信することを含み、前記少なくとも１つのメインストリームが前記少なくとも１つのスタガーストリームに対して遅延され、前記少なくとも１つのスタガーストリームが前記少なくとも１つのメインストリームにより搬送される信号の少なくとも一部と冗長の別個の信号を搬送し、前記少なくとも１つのスタガーストリームが前記少なくとも１つのメインストリームにより搬送される信号での誤り検出時に用いられるように適合される、中央デバイスと複数のユーザ端末とを備える通信ネットワークにおけるスタガーキャスト送信を管理する方法であって、前記中央デバイスが、少なくとも所与のユーザ端末に関して、
前記所与のユーザ端末に関係する少なくとも１つの情報を含むプロファイルの取得（４２）と、
前記所与のユーザ端末に搭載された前記スタガーキャスト受信機への前記スタガーキャスト送信機によるコンテンツ送信のための、前記プロファイルに基づく少なくとも１つのスタガーキャストパラメータの調節（４３）と、
を行うことを特徴とする方法。
（付記２）
前記少なくとも１つのスタガーストリームにより搬送される前記信号が、前記少なくとも１つのメインストリームにより搬送される前記信号よりも低解像度でエンコードされる、付記１に記載の方法。
（付記３）
前記少なくとも１つの情報が、
前記所与のユーザ端末の少なくとも１つの特異性に関係する情報、及び
前記所与のユーザ端末の少なくとも１回の使用に関係する情報、
を含む群に属する、付記１又は付記２に記載の方法。
（付記４）
前記中央デバイス（３０）が、セットトップボックス、ゲートウェイ、及びサーバを含む群に属する、付記１〜付記３のいずれかに記載の方法。
（付記５）
前記少なくとも１つのスタガーキャストパラメータが、
前記少なくとも１つのスタガーストリームの送信と前記少なくとも１つの遅延したメインストリームの送信との間の、スタガー遅延、及び
スタガーストリーム解像度、
を含む群に属する、付記１〜付記４のいずれかに記載の方法。
（付記６）
前記少なくとも１つの情報が、
前記所与のユーザ端末に関する信号損失の最小持続時間、
前記所与のユーザ端末に関する信号損失の最大持続時間、
前記所与のユーザ端末に搭載されたバッテリの電力レベル、
前記所与のユーザ端末に搭載されたバッテリのタイプ、
前記所与のユーザ端末に関するデバイスのタイプ、
前記所与のユーザ端末により実行されるアプリケーション、及び
少なくとも１人のユーザによる前記所与のユーザ端末の使用に関係する癖の使用、
を含む群に属する、付記１〜付記５のいずれか一項に記載の方法。
（付記７）
前記中央デバイスが、前記中央デバイスと前記所与のユーザ端末との通信を通じて、前記少なくとも１つの情報の動的収集（４１）を行う、付記１〜付記６のいずれかに記載の方法。
（付記８）
前記プログラムがコンピュータ（５２）又はプロセッサ上で実行されるときに付記１〜付記７のいずれかに記載の方法を実施するためのプログラムコード命令を備えることを特徴とするコンピュータプログラム製品（５３０）。
（付記９）
付記８に記載のコンピュータプログラム製品（５３０）を記憶する一時的でないコンピュータ可読搬送媒体（５３）。
（付記１０）
中央デバイス（３０）がスタガーキャスト送信機（１００）に適合され、ユーザ端末（ＴＡ、ＴＢ、ＴＣ）のそれぞれがスタガーキャスト受信機（２００Ａ、２００Ｂ、２００Ｃ）を備え、前記スタガーキャスト送信機が少なくとも１つのメインストリームと少なくとも１つのスタガーストリームを送信するように構成され、前記少なくとも１つのメインストリームが前記少なくとも１つのスタガーストリームに対して遅延され、前記少なくとも１つのスタガーストリームが前記少なくとも１つのメインストリームにより搬送される信号の少なくとも一部と冗長の別個の信号を搬送し、前記少なくとも１つのスタガーストリームが前記少なくとも１つのメインストリームにより搬送される信号での誤り検出時に用いられるように適合される、中央デバイスと複数のユーザ端末とを備える通信ネットワークの中央デバイスであって、
少なくとも所与のユーザ端末に関して、前記所与のユーザ端末に関係する少なくとも１つの情報を含むプロファイルを取得し、
前記所与のユーザ端末に搭載されたスタガーキャスト受信機への前記スタガーキャスト送信機によるコンテンツ送信のために、前記プロファイルに基づいて少なくとも１つのスタガーキャストパラメータを調節する、
ように構成された計算マシン（５０）を備えることを特徴とする中央デバイス。
（付記１１）
前記中央デバイス（３０）が、スタガーキャスト送信機（１００）を備える、付記１０に記載の中央デバイス。
（付記１２）
前記中央デバイス（３０）が、セットトップボックス、ゲートウェイ、及びサーバを含む群に属する、付記１１に記載の中央デバイス。
（付記１３）
前記計算マシン（５０）が、前記少なくとも１つのメインストリームにより搬送される前記信号よりも低解像度でエンコードされる前記少なくとも１つのスタガーストリームにより搬送される前記信号のために構成される、付記１０〜付記１２のいずれかに記載の中央デバイス。
（付記１４）
前記中央デバイス（３０）が、請求項１〜請求項７のいずれかに記載のスタガーキャスト送信を管理する方法を実行するように構成される、付記１０〜付記１３のいずれかに記載の中央デバイス。